(57)【特許請求の範囲】
【請求項１】
型閉じ状態及び型開き状態を切り換え可能であり且つ前記型閉じ状態で溶融樹脂が射出充填される成形空間が内部に形成される一組の金型を備え、
前記一組の金型のうち一方の金型は、前記型閉じ状態で他方の金型と先端面が面接触する柱状の貫通孔形成用突出部を複数備え、
前記貫通孔形成用突出部の前記先端面の面積は、前記一方の金型とつながる位置における前記貫通孔形成用突出部の断面積よりも大きいことを特徴とするアパーチャアレイの製造装置。
【請求項２】
型閉じ状態及び型開き状態を切り換え可能であり且つ前記型閉じ状態で溶融樹脂が射出充填される成形空間が内部に形成される一組の金型のうち一方の金型に複数形成されて且つ先端面の面積が一方の金型とつながる位置における断面積よりも大きい柱状の貫通孔形成用突出部の前記先端面を前記型閉じ状態で前記他方の金型と面接触させた状態で、前記成形空間内へ前記溶融樹脂を射出充填する樹脂射出工程と、
前記樹脂射出工程において前記成形空間内へ射出充填した前記溶融樹脂が硬化した後に、前記硬化した溶融樹脂を前記型開き状態で前記先端面側から無理抜きして、前記硬化した溶融樹脂を前記貫通孔形成用突出部から取り外す無理抜き工程と、を有することを特徴とするアパーチャアレイの製造方法。
【請求項３】
前記樹脂射出工程では、硬化した状態で前記先端面側からの無理抜きが可能な曲げ弾性率を有する溶融樹脂を前記成形空間内へ射出充填することを特徴とする請求項２に記載したアパーチャアレイの製造方法。
【発明の詳細な説明】
【技術分野】
【０００１】
本発明は、例えば、スキャナー等に用いられる接触型イメージセンサーモジュールが備える、アパーチャアレイの製造装置及び製造方法に関する。
【背景技術】
【０００２】
従来、例えば、スキャナーに用いられる接触型イメージセンサーモジュール（ＣＩＳＭ：Ｃｏｎｔａｃｔ  Ｉｍａｇｅ  Ｓｅｎｓｏｒ  Ｍｏｄｕｌｅ、以降の文中では、「ＣＩＳＭ」と記載する場合がある）は、複数箇所の貫通孔（アパーチャ）を有する部品（アパーチャアレイ）を備えている。ここで、アパーチャとは、レンズアレイ（複数のレンズをアレイ状に配列したもの）の一部を形成するレンズの絞りを設定するための貫通孔である。
【０００３】
このような、貫通孔を有する部品の製造方法としては、例えば、特許文献１に開示されているものがある。
特許文献１に開示されている製造方法は、一対の金型の一方のうち貫通孔に対応する部分に、貫通孔の少なくとも一部分に対応する棒状部材が、他方の金型へ向かう方向に付勢状態で突設されている成形装置を用いる方法である。具体的には、一方の金型が有する成形用凹部に溶融樹脂を供給した後、一対の金型を型閉じ状態としてプレス成形することにより、貫通孔を有する部品を製造する方法である。
【先行技術文献】
【特許文献】
【０００４】
【特許文献１】特開平７‐２６６３５４号公報
【発明の概要】
【発明が解決しようとする課題】
【０００５】
しかしながら、特許文献１に開示されている製造方法では、一対の金型を型閉じ状態とし、さらに、貫通孔を形成するための棒状部材が他方の金型へ付勢された状態で溶融樹脂を硬化させて、貫通孔を有する部品を形成している。すなわち、特許文献１に開示されている製造方法では、型閉じ状態において、棒状部材と他方の金型との接触部分に、金型の分割線（パーティングライン）が形成されている。
このため、成形装置の継続的な使用等により、棒状部材や、型閉じ状態で棒状部材と対向する部分に磨耗等が生じると、棒状部材と他方の金型とが対向する部分に、隙間が形成される可能性がある。
【０００６】
そして、貫通孔を有する部品を製造する際に、上記の隙間へ溶融樹脂が侵入して硬化すると、上述した金型の分割線にバリ（余分な突出部分）が形成されるため、貫通孔の周辺にバリが形成されることとなる。
ここで、貫通孔の両端側は、レンズと対向する側の開口部と、この開口部と反対側の開口部、すなわち、ＣＩＳＭの外部へ向けて開口している側の開口部により形成されている。また、外部へ向けて開口している側の開口部は、レンズの絞りを設定するために、レンズと対向する側の開口部よりも内径が小さい。
【０００７】
したがって、貫通孔の周辺に形成されるバリのうち、特に、外部へ向けて開口している側の開口部に形成されるバリは、ＣＩＳＭの外部からレンズへ入射する入射光の光路を妨げる。このため、外部へ向けて開口している側の開口部にバリが形成された貫通孔を有する部品を備えたＣＩＳＭでは、入射光量が低下することになる。
本発明の課題は、射出成形品の貫通孔における開口面積の大きい側の開口部に、バリが形成されるようにすることである。
【課題を解決するための手段】
【０００８】
以上の課題を解決するため、本発明の一態様に係る射出成形品（例えば、図１の射出成形品１）の製造装置（例えば、図２の射出成形用金型１０）は、
型閉じ及び型開きが可能であり且つ前記型閉じ状態で溶融樹脂が射出充填される成形空間（例えば、図３の成形空間２０）が内部に形成される一組の金型（例えば、図２の第一金型１２及び第二金型１４）を備え、前記一組の金型のうち一方の金型（例えば、図２の第一金型１２）は、前記型閉じ状態で他方の金型（例えば、図２の第二金型１４）と先端面（例えば、図２の先端面１８ａ）が面接触する柱状の貫通孔形成用突出部（例えば、図２の貫通孔形成用突出部１８）を備え、前記貫通孔形成用突出部の前記先端面の面積は、前記他方の金型とつながる位置における前記貫通孔形成用突出部の断面積よりも大きいことを特徴としている。
【０００９】
このような構成により、型閉じ状態において貫通孔形成用突出部の先端面と他方の金型とが対向する部分に、一方の金型と他方の金型との分割線を形成することが可能となる。
これにより、射出成形品が、型閉じ状態において、貫通孔形成用突出部の先端面と他方の金型とが対向する部分に隙間が形成された状態で製造された場合であっても、射出成形品に発生するバリの形成箇所を、貫通孔のうち、貫通孔形成用突出部の先端面と対応する部分のみに規定することが可能となる。
このため、貫通孔のうち、貫通孔形成用突出部の先端面と対応する部分以外にバリが形成されることを防止することが可能となり、射出成形品の貫通孔における開口面積の大きい側の開口部に、バリが形成されるようにすることが可能となる。
【００１０】
また、本発明の一態様に係る射出成形品の製造方法は、
型閉じ及び型開きが可能であり且つ前記型閉じ状態で溶融樹脂が射出充填される成形空間が内部に形成される一組の金型のうち一方の金型に形成され、且つ先端面の面積が他方の金型とつながる位置における断面積よりも大きい柱状の貫通孔形成用突出部の前記先端面を前記型閉じ状態で前記他方の金型と面接触させた状態で、前記成形空間内へ前記溶融樹脂を射出充填する樹脂射出工程と、前記樹脂射出工程において前記成形空間内へ射出充填した前記溶融樹脂が硬化した後に、前記硬化した溶融樹脂を前記型開き状態で前記先端面側から無理抜きして、前記硬化した溶融樹脂を前記貫通孔形成用突出部から取り外す無理抜き工程と、を有することを特徴としている。
【００１１】
このような構成により、型閉じ状態において貫通孔形成用突出部の先端面と他方の金型とが対向する部分に、一方の金型と他方の金型との分割線を形成した状態で、射出成形品を製造することが可能となる。
これにより、射出成形品が、型閉じ状態において、貫通孔形成用突出部の先端面と他方の金型とが対向する部分に隙間が形成された状態で製造された場合であっても、射出成形品に発生するバリの形成箇所を、貫通孔のうち、貫通孔形成用突出部の先端面と対応する部分のみに規定することが可能となる。
このため、貫通孔のうち、貫通孔形成用突出部の先端面と対応する部分以外にバリが形成されることを防止することが可能となり、射出成形品の貫通孔における開口面積の大きい側の開口部に、バリが形成されるようにすることが可能となる。
【００１２】
このような構成により、射出成形品を製造する際に、無理抜き工程において、成形空間内で硬化した溶融樹脂を、貫通孔形成用突出部の先端面側から無理抜きしても、硬化した溶融樹脂から形成される射出成形品に生じる損傷を低減することが可能となる。
また、本発明の一態様に係る光学部品は、
上述した射出成形品の製造方法により製造されたことを特徴としている。
このような構成により、射出成形品である光学部品は、上述した射出成形品の製造方法以外の方法により製造された光学部品と比較して、ＣＩＳＭの外部からレンズへ入射する入射光の光路を妨げる要因の発生を抑制することが可能となる。
【図面の簡単な説明】
【００１３】
【図１】射出成形品の概略構成を示す図であり、射出成形品の一部を板厚方向に切った断面図である。
【図２】射出成形用金型の概略構成を示す断面図である。
【図３】樹脂射出工程における第一金型と第二金型の状態を示す断面図である。
【図４】欠損している射出成形用金型を用いて形成した射出成形品の一部を板厚方向に切った断面図である。
【図５】第一の比較対象とする射出成形用金型の概略構成を示す断面図である。
【図６】欠損している射出成形用金型を用いて形成した射出成形品の一部を板厚方向に切った断面図である。
【図７】第二の比較対象とする射出成形用金型の概略構成を示す断面図である。
【図８】欠損している射出成形用金型を用いて形成した射出成形品の一部を板厚方向に切った断面図である。
【図９】第一実施形態の変形例を示す図である。
【図１０】第一実施形態の変形例を示す図である。
【図１１】第一実施形態の変形例を示す図である。
【発明を実施するための形態】
【００１４】
以下、図面を用いて、本発明に係る射出成形品の製造装置及び製造方法の実施の形態（実施形態）を説明する。
（第一実施形態）
（構成）
まず、図１を用いて、第一実施形態における、射出成形品の構成について説明する。
図１は、射出成形品の概略構成を示す図であり、射出成形品の一部を板厚方向に切った断面図である。
図１中に示すように、射出成形品１は、複数個のレンズ２の上面（図１中では、レンズ２の上側の面）側に配置される部品であり、板厚方向（図１中では、上下方向。以降の文中でも同様）に貫通する複数箇所の貫通孔４を有している。なお、図１中には、射出成形品１が有する複数箇所の貫通孔４のうち一箇所における、射出成形品１の断面図を示している。
【００１５】
第一実施形態では、一例として、射出成形品１を、上述したＣＩＳＭを形成する部品とした場合について説明する。すなわち、第一実施形態の射出成形品１は、複数個のレンズ２に対応する複数箇所の貫通孔４（アパーチャ）を有する開口板（アパーチャアレイ）である。
【００１６】
また、射出成形品１は、後述する射出成形用金型を用いて成形されており、その材料として、例えば、ゴムやエラストマー等、軟質の樹脂材料を用いている。ここで、「軟質の樹脂材料」とは、溶融している状態から硬化した状態へと変化した後に、後述する無理抜き工程において、破断等の損傷を生じることなく弾性変形して、後述する貫通孔形成用突出部から取り外すことが可能な樹脂材料である。また、「軟質の樹脂材料」とは、例えば、硬化した状態における曲げ弾性率が、１９００〜３６００［ＭＰａ］程度となる材料である。
なお、第一実施形態では、一例として、射出成形品１の材料である樹脂材料を、射出成形法で製造可能な、エラストマー樹脂とした場合を説明する。
【００１７】
また、射出成形品１のうち、図１中に示す部分である、貫通孔４を有する部分の厚さ（図１中では、上下方向の長さ）は、例えば、１．０［ｍｍ］以下に設定されている。なお、第一実施形態では、一例として、射出成形品１のうち貫通孔４を有する部分の厚さを、１．０［ｍｍ］に設定した場合を説明する。
貫通孔４の両端は、内径が異なる、二箇所の開口部６ａ，６ｂで形成されている。
二箇所の開口部６ａ，６ｂのうち一方の開口部６ａは、射出成形品１のうち、レンズ２と対向する側と反対の面に開口し、ＣＩＳＭの外部へ向けて開口している。なお、以降の説明では、開口部６ａを、「小径開口部６ａ」と記載する場合がある。
【００１８】
一方、二箇所の開口部６ａ，６ｂのうち他方の開口部６ｂは、射出成形品１のうち、レンズ２と対向する側の面に開口している。なお、以降の説明では、開口部６ｂを、「大径開口部６ｂ」と記載する場合がある。
小径開口部６ａの内径Ｉｄ１は、大径開口部６ｂの内径Ｉｄ２未満である。また、小径開口部６ａの内径Ｉｄ１は、レンズ２の絞りを設定した値とするための内径に設定されており、例えば、０．５〜１．０［ｍｍ］程度に設定されている。
なお、第一実施形態では、一例として、小径開口部６ａを、内径が０．５［ｍｍ］程度の円形に形成した場合を説明する。これに伴い、第一実施形態では、一例として、大径開口部６ｂを、内径が１．０［ｍｍ］程度の円形に形成した場合を説明する。
【００１９】
また、第一実施形態では、一例として、小径開口部６ａの中心と大径開口部６ｂの中心が、射出成形品１の板厚方向から見て重なっている場合について説明する。
以上により、第一実施形態では、貫通孔４の、射出成形品１の板厚方向と直交する方向（図１中では、紙面と直交する方向）から見た形状が、上底の長さ（先端側の外径）よりも下底の長さ（基端側の外径）が短く、上底と下底とを結ぶ二本の直線が対称な斜辺を形成する台形となっている。すなわち、第一実施形態では、貫通孔４が、貫通孔４の、射出成形品１の板厚方向と直交する方向から見て、貫通孔４の内径面を形成する二本の直線が、共に、単一及び同一のテーパーを有している。
【００２０】
ここで、貫通孔４の内径面を形成する直線の傾斜（テーパー）は、例えば、レンズ２の絞りが設計した値となるように設定されている。なお、第一実施形態では、一例として、貫通孔４の内径面を形成する直線の傾斜を、０°以上１０°以下の範囲内とした場合を説明する。
なお、図１中に示すレンズ２は、レンズアレイ８を構成する複数のレンズの一つであり、その一部が、貫通孔４内に配置されている。また、レンズアレイ８は、複数のレンズ２をアレイ状に配列（第一実施形態では、複数のレンズ２を直列に配列した状態）して形成されている。
【００２１】
（射出成形品１の製造装置）
以下、図１を参照しつつ、図２を用いて、射出成形品１の製造装置について説明する。
射出成形品１（アパーチャアレイ）を製造する装置（射出成形品１の製造装置）としては、例えば、図２中に示すような射出成形用金型１０を用いる。なお、図２は、射出成形用金型１０の概略構成を示す断面図である。
【００２２】
（射出成形用金型１０の構成）
以下、射出成形用金型１０の概略構成について説明する。
射出成形用金型１０は、第一金型１２と、第二金型１４を備えている。
第一金型１２と第二金型１４は、型閉じ及び型開きが可能な一組の金型であり、射出成形品１を製造する際には、型閉じ状態で内部に形成される成形空間内に、射出成形品１の材料である溶融樹脂を射出充填する。なお、図２中には、型開き状態の第一金型１２及び第二金型１４を示している。
【００２３】
第一金型１２は、射出成形品１の板厚方向（図２中では、上下方向）へ移動可能な可動金型であり、平板部１６と、貫通孔形成用突出部１８を備えている。
平板部１６は、板状に形成されており、第二金型１４と対向する面が平坦面で形成されている。
貫通孔形成用突出部１８は、第二金型１４へ向けて突出する柱状に形成されており、平板部１６のうち、第二金型１４と対向する面上に設けられて、平板部１６と一体に形成されている。なお、第一実施形態では、一例として、貫通孔形成用突出部１８を、円柱状に形成した場合を説明する。
【００２４】
また、貫通孔形成用突出部１８の軸方向への長さ（図２中では、上下方向への長さ）は、第一金型１２及び第二金型１４を型閉じ状態とした場合に、成形空間内において、第二金型１４と貫通孔形成用突出部１８の先端面１８ａが接触する長さに設定されている。ここで、貫通孔形成用突出部１８の先端面１８ａは、平坦面で形成されている。
また、貫通孔形成用突出部１８は、先端面１８ａの面積が、第一金型１２とつながる位置における貫通孔形成用突出部１８の断面積よりも大きくなるように形成されている。
【００２５】
ここで、貫通孔形成用突出部１８の先端面１８ａの面積は、大径開口部６ｂの内径Ｉｄ２に対応する値に設定されている。第一実施形態では、上述したように、大径開口部６ｂの内径Ｉｄ２を１．０［ｍｍ］程度としているため、貫通孔形成用突出部１８の先端面１８ａの面積は、貫通孔形成用突出部１８の先端面１８ａにおける外径Ｏｄ１が１．０［ｍｍ］程度となる値に設定する。
貫通孔形成用突出部１８の基端部１８ｂは、平板部１６のうち第二金型１４と対向する面上に設けられている。
【００２６】
また、第二金型１４側から見た貫通孔形成用突出部１８の基端部１８ｂの断面積は、小径開口部６ａの内径Ｉｄ１に対応する値に設定されている。第一実施形態では、上述したように、小径開口部６ａの内径Ｉｄ１を０．５［ｍｍ］程度としているため、貫通孔形成用突出部１８の基端部１８ｂにおける断面積は、貫通孔形成用突出部１８の基端部１８ｂにおける外径Ｏｄ２が０．５［ｍｍ］程度となる値に設定する。
【００２７】
また、第一実施形態では、上述したように、小径開口部６ａの中心と大径開口部６ｂの中心が、射出成形品１の板厚方向から見て重なっているため、貫通孔形成用突出部１８は、先端面１８ａの中心と基端部１８ｂにおける断面の中心とが、射出成形品１の板厚方向から見て重なっている。これに加え、貫通孔４の内径面を形成する二本の直線が、貫通孔４の、射出成形品１の板厚方向と直交する方向から見て、共に、単一及び同一のテーパーを有している。
【００２８】
以上により、第一実施形態では、貫通孔形成用突出部１８が、貫通孔形成用突出部１８の径方向（射出成形品１の板厚方向と直交する方向。図２中では、紙面と直交する方向）から見た形状が、上底の長さ（先端側の外径）よりも下底の長さ（基端側の外径）が短く、上底と下底とを結ぶ二本の直線が対称な斜辺を形成する台形となるように形成されている。すなわち、第一実施形態では、貫通孔形成用突出部１８の外径面が、貫通孔形成用突出部１８の径方向から見て、二本の直線で形成されており、これら二本の直線が、共に、貫通孔４の内径面に対応する単一及び同一のテーパーを有している。
【００２９】
第二金型１４は、固定金型であり、溶融樹脂が通過可能な形状に形成された樹脂通路（図示せず）を備えている。なお、樹脂通路は、第一金型１２に設けてもよい。
また、第二金型１４の第一金型１２と対抗する面は、平坦面に形成されている。
さらに、第二金型１４のうち、第一金型１２及び第二金型１４を型閉じ状態とした場合に、貫通孔形成用突出部１８の先端面１８ａと接触する部分は、貫通孔形成用突出部１８の先端面１８ａと同様、平坦面で形成されている。
【００３０】
（射出成形品１の製造方法）
以下、図１及び図２を参照しつつ、図３を用いて、射出成形品１の製造方法について説明する。
射出成形品１の製造方法は、貫通孔形成用突出部１８の先端面１８ａを、型閉じ状態で第二金型１４と面接触させた状態で、成形空間内へ溶融樹脂を射出充填する樹脂射出工程を有している。
これに加え、射出成形品１の製造方法は、樹脂射出工程において成形空間内へ射出充填した溶融樹脂が硬化した後に、硬化した溶融樹脂を、型開き状態で先端面１８ａ側から無理抜きして、硬化した溶融樹脂を貫通孔形成用突出部１８から取り外す無理抜き工程を有している。
【００３１】
（樹脂射出工程）
以下、樹脂射出工程について説明する。
樹脂射出工程では、まず、型開き状態において、第一金型１２を移動させ、図３中に示すように、第一金型１２と第二金型１４とを接触させて第一金型１２及び第二金型１４を型閉じ状態とし、第一金型１２と第二金型１４との間に成形空間（キャビティ）２０を形成する。なお、図３は、樹脂射出工程における第一金型１２と第二金型１４の状態を示す断面図である。
【００３２】
このとき、第二金型１４のうち、貫通孔形成用突出部１８の先端面１８ａと対向する平坦面を、同じく平坦面で形成されている貫通孔形成用突出部１８の先端面１８ａと面接触させる。
したがって、第一実施形態では、型閉じ状態において貫通孔形成用突出部１８の先端面１８ａと第二金型１４とが対向する部分に、第一金型１２と第二金型１４との分割線（パーティングライン）が形成されている。また、第一金型１２と第二金型１４との分割線は、貫通孔形成用突出部１８の先端面１８ａと平行である。
【００３３】
そして、上記のように、第一金型１２と第二金型１４を型閉じ状態とし、第二金型１４と貫通孔形成用突出部１８の先端面１８ａとを面接触させた状態で、樹脂通路を介して、成形空間２０内へ溶融樹脂を射出充填して、樹脂射出工程を終了する。
ここで、第一実施形態では、溶融樹脂を、硬化した状態で、樹脂射出工程の後工程である無理抜き工程において、破断等の損傷を生じることなく弾性変形して、貫通孔形成用突出部１８から取り外すことが可能な軟質の樹脂材料を用いている。
すなわち、第一実施形態では、樹脂射出工程において、硬化した状態で貫通孔形成用突出部１８の先端面１８ａ側からの無理抜きが可能な曲げ弾性率を有する溶融樹脂を、成形空間２０内へ射出充填する。
【００３４】
（無理抜き工程）
以下、無理抜き工程について説明する。
樹脂射出工程において成形空間２０内へ射出充填した溶融樹脂が硬化した後、第一金型１２を移動させて第二金型１４から離間させて、第一金型１２及び第二金型１４を型開き状態とする。
そして、成形空間２０内で硬化した溶融樹脂を、貫通孔形成用突出部１８の先端面１８ａ側から無理抜きして、硬化した溶融樹脂から形成される射出成形品１を、貫通孔形成用突出部１８から取り外し、無理抜き工程の製造を終了する。なお、成形空間２０内で硬化した溶融樹脂の、貫通孔形成用突出部１８の先端面１８ａ側からの無理抜きは、例えば、第一金型１２の構成を、第二金型１４側へ突出して成形空間２０内へ移動可能なエジェクターピンを備える構成とし、このエジェクターピンを駆動させることにより行う。
【００３５】
このとき、樹脂射出工程において成形空間２０内へ射出充填した溶融樹脂は、硬化した状態で貫通孔形成用突出部１８の先端面１８ａ側からの無理抜きが可能な曲げ弾性率を有している。
このため、成形空間２０内で硬化した溶融樹脂を、貫通孔形成用突出部１８の先端面１８ａ側から無理抜きしても、硬化した溶融樹脂から形成される射出成形品１に生じる損傷を低減可能な状態で、設計した形状の貫通孔４を有する射出成形品１が形成される。
【００３６】
（射出成形用金型１０が欠損している場合）
以下、図１から図３を参照しつつ、図４を用いて、射出成形用金型１０が欠損している状態で、上述した製造方法により形成した射出成形品１について説明する。
射出成形用金型１０の継続的な使用等により、貫通孔形成用突出部１８の先端面１８ａや、第二金型１４のうち貫通孔形成用突出部１８の先端面１８ａに磨耗等が生じて、この磨耗した部分が欠損すると、型閉じ状態において、貫通孔形成用突出部１８の先端面１８ａと第二金型１４とが対向する部分に隙間が形成される。なお、以下の説明は、貫通孔形成用突出部１８の先端面１８ａのうち、貫通孔形成用突出部１８の外径面の一部と連続する部分に磨耗が生じ、この磨耗部分が欠損した場合を前提として記載する。
【００３７】
型閉じ状態において、貫通孔形成用突出部１８の先端面１８ａと第二金型１４とが対向する部分に隙間が形成された状態で、上述した樹脂射出工程を行うと、成形空間２０内と、上記の隙間内へ、溶融樹脂が射出充填される。
ここで、第一実施形態では、型閉じ状態において貫通孔形成用突出部１８の先端面１８ａと第二金型１４とが対向する部分に、第一金型１２と第二金型１４との分割線が形成されており、この分割線は、貫通孔形成用突出部１８の先端面１８ａと平行である。
【００３８】
このため、成形空間２０内及び上記の隙間内へ射出充填された溶融樹脂が硬化し、上述した無理抜き工程を行って、硬化した溶融樹脂を貫通孔形成用突出部１８の先端面１８ａ側から無理抜きして、貫通孔形成用突出部１８から取り外した射出成形品１には、図４中に示すように、貫通孔４のうち、大径開口部６ｂから貫通孔４の中心側へ向けて、貫通孔４の径方向へ延在する形状のバリ２２が形成されることとなる。なお、図４は、欠損している射出成形用金型１０を用いて形成した射出成形品１の一部を板厚方向に切った断面図である。また、図４中に示す射出成形品１の部分は、図１中に示した射出成形品１の部分に対応しており、図２及び図３中に示した射出成形用金型１０から取り出した後に、上下方向へ逆転させた状態を示している。
【００３９】
ここで、射出成形用金型１０を用いて射出成形品１を製造する、射出成形品１の製造ラインでは、例えば、製造後の射出成形品１に対する検査（各種センサー等を用いた形状の検査）により、バリ２２が形成されている射出成形品１が発見された場合には、例えば、製造ラインの稼動を停止して、射出成形用金型１０の状態（形状）を点検する。
この場合、射出成形品１に形成されているバリ２２の形状寸法が、レンズ２の絞りが設計した値となる程度の許容可能な形状寸法であれば、バリ２２が形成されている射出成形品１であっても、破棄することなく使用可能であるため、射出成形品１の製造に関して、コストの増加及び歩留りの低下を抑制することが可能となる。
【００４０】
（動作）
次に、図１から図４を参照して、射出成形品１の動作を説明する。
上述したように、第一実施形態の射出成形品１は、スキャナーに用いられるＣＩＳＭを形成する部品であり、複数個のレンズ２に対応する複数箇所の貫通孔４を有する開口板である。
したがって、スキャナーの使用時、すなわち、紙面に印刷された文字等を読み取る際に、ＣＩＳＭの外部からレンズ２へ入射する入射光は、小径開口部６ａから貫通孔４を通過して、レンズ２へ入射することとなる。
【００４１】
ここで、第一実施形態の射出成形用金型１０（射出成形品１の製造装置）では、型閉じ状態において貫通孔形成用突出部１８の先端面１８ａと第二金型１４とが対向する部分に、第一金型１２と第二金型１４との分割線が形成されている。すなわち、第一実施形態の射出成形用金型１０では、第一金型１２と第二金型１４との分割線が、貫通孔形成用突出部１８のうち、大径開口部６ｂに対応する部分に形成されている。
【００４２】
このため、射出成形品１が、型閉じ状態において貫通孔形成用突出部１８の先端面１８ａと第二金型１４とが対向する部分に隙間が形成された状態の射出成形用金型１０で製造された場合であっても、射出成形品１に発生するバリ２２の形成箇所を、貫通孔４のうち、貫通孔形成用突出部１８の先端面１８ａと対応する部分である、大径開口部６ｂのみに規定することが可能となる。すなわち、第一実施形態では、射出成形品１の貫通孔４における、開口面積の大きい側の大径開口部６ｂに、バリ２２が形成されるようにすることが可能となる。
【００４３】
したがって、第一実施形態では、貫通孔４のうち、貫通孔形成用突出部１８の先端面１８ａと対応する部分以外、特に、大径開口部６ｂよりも開口面積の小さい小径開口部６ａに、バリが形成されることが防止されているため、ＣＩＳＭの外部からレンズ２へ入射する入射光の光路を妨げる要因の発生を抑制することが可能となる。
以上により、第一実施形態では、射出成形品１が、型閉じ状態において貫通孔形成用突出部１８の先端面１８ａと第二金型１４とが対向する部分に隙間が形成された状態の射出成形用金型１０で製造された場合であっても、ＣＩＳＭの外部からレンズ２へ入射する入射光の量（入射光量）が低下することを抑制可能となる。
【００４４】
また、第一実施形態では、樹脂射出工程において成形空間２０内へ射出充填する溶融樹脂を、硬化した状態で貫通孔形成用突出部１８の先端面１８ａ側からの無理抜きが可能な曲げ弾性率を有する溶融樹脂としている。
このため、射出成形品１を製造する際に、無理抜き工程において、成形空間２０内で硬化した溶融樹脂を、貫通孔形成用突出部１８の先端面１８ａ側から無理抜きしても、硬化した溶融樹脂から形成される射出成形品１に生じる損傷を低減可能な状態で、レンズ２の絞りを設計した値とするための、設計した形状の貫通孔４を有する射出成形品１を形成することが可能となる。
【００４５】
（第一実施形態の射出成形用金型１０及び射出成形品１と、第一実施形態と構成の異なる射出成形用金型及び射出成形品との比較）
ここで、図１から図４を参照しつつ、図５から図８を用いて、第一実施形態の射出成形用金型１０と分割線の異なる射出成形用金型と、この射出成形用金型を用いて製造した射出成形品とを、二つ例示して、第一実施形態の射出成形用金型１０及び射出成形品１と比較する。
【００４６】
Ｉ．第一の比較対象
比較対象とする第一の射出成形用金型としては、例えば、図５中に示すように、貫通孔形成用突出部１８の構成が、先端面１８ａの面積が、第二金型１４とつながる位置における貫通孔形成用突出部１８の断面積未満となるように形成されている射出成形用金型１０ａを例示する。なお、図５は、第一の比較対象とする射出成形用金型１０ａの概略構成を示す断面図である。また、図５中では、第一実施形態の射出成形用金型１０と同様の構成に、同一の符号を付して示している。
【００４７】
この射出成形用金型１０ａでは、第一実施形態の射出成形用金型１０と異なり、第一金型１２と第二金型１４との分割線が、貫通孔形成用突出部１８のうち、小径開口部６ａに対応する部分に形成されている。
このため、射出成形用金型１０ａの状態が、貫通孔形成用突出部１８の先端面１８ａと第二金型１４との接触部分に隙間が形成された状態である場合、例えば、図６中に示すように、射出成形用金型１０ａを用いて製造した射出成形品１ａは、射出成形品１ａに発生するバリ２２ａの形成箇所が、小径開口部６ａとなる。なお、図６は、欠損している射出成形用金型１０ａを用いて形成した射出成形品１ａの一部を板厚方向に切った断面図である。また、図６中に示す射出成形品１ａの部分は、図１中に示した射出成形品１の部分に対応しているため、図６中では、第一実施形態の射出成形品１と同様の構成に、同一の符号を付して示している。
【００４８】
ＩＩ．第二の比較対象
比較対象とする第二の射出成形用金型としては、例えば、図７中に示すように、貫通孔形成用突出部１８の構成が、先端面１８ａの面積が、第二金型１４とつながる位置における貫通孔形成用突出部１８の断面積未満となるように形成されている射出成形用金型１０ｂを例示する。なお、図７は、第二の比較対象とする射出成形用金型１０ｂの概略構成を示す断面図である。また、図７中では、第一実施形態の射出成形用金型１０と同様の構成に、同一の符号を付して示している。
【００４９】
ここで、射出成形用金型１０ｂでは、貫通孔形成用突出部１８が、台形断面部２４と、方形断面部２６から形成されている。なお、台形断面部２４及び方形断面部２６は、平板部１６と一体に形成されている。
台形断面部２４は、貫通孔形成用突出部１８の径方向（射出成形品１の板厚方向と直交する方向。図７中では、紙面と直交する方向）から見た断面の形状が、上底の長さよりも下底の長さが短く、上底と下底とを結ぶ二本の直線が対称な斜辺を形成する台形となっている。
【００５０】
方形断面部２６は、貫通孔形成用突出部１８の径方向から見た断面の形状が、上底と下底の長さが等しく、上底と下底とを結ぶ二本の直線が同一の長さで平行をなしている方形となっている。
これに加え、方形断面部２６は、型閉じ状態において、第二金型１４に設けられた方形断面部配置孔２８内に挿入される。なお、方形断面部配置孔２８は、方形断面部２６と嵌合する形状に形成されており、断面が円形の凹部である。すなわち、方形断面部配置孔２８の内径は、方形断面部２６の外径と等しい。
【００５１】
ここで、方形断面部２６が方形断面部配置孔２８内に挿入された状態では、台形断面部２４のみが、成形空間２０内において、貫通孔４に対応する部分を形成する。
この射出成形用金型１０ｂでは、第一実施形態の射出成形用金型１０と異なり、第一金型１２と第二金型１４との分割線が、貫通孔形成用突出部１８のうち、小径開口部６ａに対応する部分に形成されているとともに、この分割線は、貫通孔形成用突出部１８の先端面１８ａと垂直をなす状態で、方形断面部配置孔２８内に形成されている。
【００５２】
このため、射出成形用金型１０ｂの状態が、第一金型１２と第二金型１４との接触部分、具体的には、方形断面部２６の外径面と方形断面部配置孔２８の内径面に隙間が形成された状態である場合、例えば、図８中に示すように、射出成形用金型１０ｂを用いて製造した射出成形品１ｂは、射出成形品１ｂに発生するバリ２２ｂの形成箇所が、小径開口部６ａとなる。これに加え、バリ２２ｂの形状が、ＣＩＳＭの外部へ向けて延在する形状となる。なお、図８は、欠損している射出成形用金型１０ｂを用いて形成した射出成形品１ｂの一部を板厚方向に切った断面図である。また、図８中に示す射出成形品１ｂの部分は、図１中に示した射出成形品１の部分に対応しているため、図８中では、第一実施形態の射出成形品１と同様の構成に、同一の符号を付して示している。
【００５３】
ＩＩＩ．比較結果
上述したように、第一実施形態の射出成形用金型１０及び射出成形品１は、第一及び第二の比較対象と比較して、射出成形品１の貫通孔４における、開口面積の大きい側の大径開口部６ｂに、バリ２２が形成されるようにすることが可能であり、小径開口部６ａにバリが形成されることを防止可能であるため、ＣＩＳＭの外部からレンズ２へ入射する入射光の光路を妨げる要因の発生を抑制することが可能となる。
【００５４】
（変形例）
第一実施形態においては、貫通孔形成用突出部１８の構成を、貫通孔形成用突出部１８の径方向から見た形状が、台形となる構成としたが、貫通孔形成用突出部１８の構成は、これに限定するものではない。
すなわち、貫通孔形成用突出部１８の構成を、例えば、図９中に示すように、方形断面部２６と台形断面部２４から形成されている構成としてもよい。なお、図９は、第一実施形態の変形例を示す図である。
【００５５】
ここで、方形断面部２６は、貫通孔形成用突出部１８の径方向（射出成形品１の板厚方向と直交する方向。図９中では、紙面と直交する方向）から見た形状が、上底と下底の長さ（基端部１８ｂの外径）が等しく、上底と下底とを結ぶ二本の直線が同一の長さで平行をなしている方形となっている。また、方形断面部２６は、平板部１６のうち、第二金型１４と対向する面上に設けられて、平板部１６と一体に形成されている。
【００５６】
また、台形断面部２４は、貫通孔形成用突出部１８の径方向から見た形状が、上底の長さ（先端面１８ａの外径）よりも下底の長さが短く、上底と下底とを結ぶ二本の直線が同一の長さ及び傾斜である台形となっており、方形断面部２６の第二金型１４と対向する面上に設けられて、方形断面部２６と一体に形成されている。
すなわち、図９中に示す貫通孔形成用突出部１８は、貫通孔形成用突出部１８の外径面を形成する線が、傾斜（テーパー）を有する直線と、貫通孔形成用突出部１８の軸方向（図９中では、上下方向）と平行な直線とを連続させた屈曲線で形成されている。
【００５７】
このような構成の貫通孔形成用突出部１８を備える射出成形用金型１０を用いて形成した射出成形品１は、例えば、図１０中に示すように、貫通孔４の構成が、貫通孔４の内径面を形成する線が、貫通孔４の径方向（射出成形品１の板厚方向と直交する方向。図１０中では、紙面と直交する方向）から見て、傾斜（テーパー）を有する直線と、射出成形品１の板厚方向（図１０中では、上下方向）と平行な直線とを連続させた屈曲線で形成されることとなる。なお、図１０は、第一実施形態の変形例を示す図である。
【００５８】
また、第一実施形態においては、貫通孔４の構成を、貫通孔４の内径面を形成する二本の直線が、貫通孔４の径方向から見て、共に、単一及び同一のテーパーを有している構成とした。これに伴い、貫通孔形成用突出部１８の構成を、貫通孔形成用突出部１８の外径面を形成する二本の直線が、貫通孔形成用突出部１８の径方向から見て、互いに同一の長さ及び傾斜となっており、貫通孔４の内径面に対応する単一及び同一のテーパーを有している構成とした。しかしながら、貫通孔４及び貫通孔形成用突出部１８の構成は、これらに限定するものではない。
【００５９】
すなわち、貫通孔形成用突出部１８の構成を、例えば、図１１中に示すように、貫通孔形成用突出部１８の外径面が、傾斜（テーパー）の異なる直線を連続させた屈曲線（二段テーパー）で形成されている構成とすることにより、貫通孔形成用突出部１８の外径面を形成する線が、貫通孔形成用突出部１８の径方向（射出成形品１の板厚方向と直交する方向。図１１中では、紙面と直交する方向）から見て、二種類のテーパーを有している構成としてもよい。なお、図１１は、第一実施形態の変形例を示す図である。
【００６０】
また、第一実施形態においては、貫通孔形成用突出部１８を、円柱状に形成したが、これに限定するものではなく、貫通孔形成用突出部１８を、第二金型１４側から見た断面形状が多角形である角柱状に形成してもよい。
また、第一実施形態においては、射出成形品１を、複数個のレンズ２に対応する複数箇所の貫通孔４を有する開口板としたが、射出成形品１は、これに限定するものではなく、例えば、インク等の流体を通過させる貫通孔を有するノズル等に適用してもよい。
【００６１】
また、第一実施形態においては、樹脂射出工程において成形空間２０内へ射出充填する溶融樹脂を、硬化した状態で貫通孔形成用突出部１８の先端面１８ａ側からの無理抜きが可能な曲げ弾性率を有する溶融樹脂としたが、これに限定するものではない。すなわち、樹脂射出工程において成形空間２０内へ射出充填する溶融樹脂を、上記の曲げ弾性率を有していない溶融樹脂としてもよい。この場合、例えば、貫通孔形成用突出部１８の外径面を形成する直線が有するテーパーを、０°以上５°以下の範囲内程度とする。
【符号の説明】
【００６２】
１  射出成形品、１ａ  第一の比較対象とする射出成形用金型１０ａを用いて製造した射出成形品、１ｂ  第二の比較対象とする射出成形用金型１０ｂを用いて製造した射出成形品、２  レンズ、４  貫通孔、６ａ  開口部（小径開口部）、６ｂ  開口部（大径開口部）、８  レンズアレイ、１０  射出成形用金型、１０ａ  第一の比較対象とする射出成形用金型、１０ｂ  第二の比較対象とする射出成形用金型、１２  第一金型、１４  第二金型、１６  平板部、１８  貫通孔形成用突出部、１８ａ  先端面、１８ｂ  基端部、２０  成形空間、２２  バリ、２２ａ  射出成形品１ａに発生するバリ、２２ｂ  射出成形品１ｂに発生するバリ、２４  台形断面部、２６  方形断面部、２８  方形断面部配置孔、Ｉｄ１  開口部（小径開口部）６ａの内径、Ｉｄ２  開口部（大径開口部）６ｂの内径、Ｏｄ１  貫通孔形成用突出部１８の先端面１８ａにおける外径、Ｏｄ２  貫通孔形成用突出部１８の基端部１８ｂにおける外径
【図１】
0005760554.tif 000002
【図２】
0005760554.tif 000003
【図３】
0005760554.tif 000004
【図４】
0005760554.tif 000005
【図５】
0005760554.tif 000006
【図６】
0005760554.tif 000007
【図７】
0005760554.tif 000008
【図８】
0005760554.tif 000009
【図９】
0005760554.tif 000010
【図１０】
0005760554.tif 000011
【図１１】
0005760554.tif 000012